【事件の表示】
　平成　５年特許願第１６５０９８号「帯域通過フィルタ」拒絶査定不服審判事件〔平成　６年１２月２２日出願公開、特開平　６−３５０３０４〕について、次のとおり審決する。
【結　論】
　本件審判の請求は、成り立たない。
【理　由】
１．手続の経緯・本願発明
　本願は、平成５年６月１１日の出願であって、特許請求の範囲の請求項１に係る発明（以下、「本願発明」という。）は、平成１４年９月６日付け手続補正書により補正された明細書及び図面の記載からみて、その特許請求の範囲の請求項１に記載された以下のとおりのものと認める。
「４個以上の偶数個の空洞共振器がＵ字状の折り返し配列構造で一体化形成された金属製の本体胴体部と、該本体胴体部の境界壁の上面と下面の当接する部分にねじ止めされた金属製の上板と下板とからなる４次以上の帯域通過フィルタであって、
　前記上板と下板のそれぞれの前記本体胴体部の前記４個以上の偶数個の空洞共振器のうち入力側空洞共振器と出力側空洞共振器は、前記Ｕ字状の折り返し配列における二つの開放端側に、それぞれ位置して相隣るように配置され、該入力側空洞共振器と前記出力側空洞共振器の間に設けられた境界壁以外の境界壁に当接にする部分には導電性ゴムを配置することなしに、該入力側空洞共振器と前記出力側空洞共振器の間に設けられた境界壁に当接する部分に設けられた溝のみに、細い棒状の導電性ゴムが嵌め込まれ、前記上板と下板が前記本体胴体部にねじ止めされたとき前記導電性ゴムが前記境界壁の上面に圧接されて前記入力側空洞共振器と前記出力側空洞共振器の間の不要な誘導結合が抑圧されて理論特性に近い伝送特性が得られるように構成された帯域通過フィルタ。」
　
２．引用例
（１）これに対して、原審の拒絶理由に引用された実願昭６３−４７２５０号の願書に添付された明細書と図面を撮影したマイクロフィルム（実開平１−１４９１０５号、以下、「引用例」という。）には、図面とともに、次の事項が記載されている。
　イ．「本考案は４個以上の共振器を有し、隣接する共振器の間の仕切板に開口部を設けて結合してなる多段フィルタに関するものである。」（明細書１頁１５〜１７行目）
　ロ．「マイクロ波などの高周波フィルタの通過特性は、帯域幅と減衰度で決定される。この減衰度は共振器の数（フィルタの段数）に直接関係し、段数を多くすれば減衰度も大きくなる。」（明細書１頁１９行目〜２頁２行目）
　ハ．「そこで、第６図に示すように、複数の共振器３０〜３７（図面では８個）を二列に並べ、各共振器を開口部４０〜４６を介して平面視Ｕ字状に結合することにより、全長Ｌを約半分に短縮した多段フィルタが提供されている。
　しかしながら、上記のように共振器をＵ字形に配列した場合には、図面左側の共振器３０〜３２と右側の共振器３５〜３７との間に中央の仕切板５０を介して破線で示すように高周波リークが生じやすく、減衰特性を悪化させるという問題がある。即ち、仕切板５０はケース５１の内部に固定され、このケース５１の上部には図示しないカバーが装着されるが、ケース５１と仕切板５０との間、又はカバーと仕切板５０との間に僅かでも隙間があると、電磁エネルギーがこの隙間を通って隣合う共振器へ漏れ出るからである。特に、入力コネクタ５２が接続された初段の共振器３０と出力コネクタ５３が接続された終段の共振器３７との間のリークは減衰特性を著しく悪化させる。そのため、従来では仕切板５０の板厚を厚くしたり、別途シールド材を上記隙間に設ける等して高周波リークを防止していたが、これでは徒に加工が複雑となり、かつ重量増加やコストアップを招く問題があった。」（明細書２頁８行目〜３頁１０行目）
　
　上記引用例の記載及び添付図面ならびにこの分野における技術常識を考慮すると、上記「共振器」はケースと仕切板とによって形成された空間内に配置される共振器であるから、いわゆる「空洞共振器」である。また、上記「多段フィルタ」はその通過特性が「帯域幅と減衰度」で決まるから、いわゆる「帯域通過フィルタ」であり、４個以上の共振器を二列にＵ字状に配置しているから、共振器の数は４個以上の偶数個であり、フィルタの段数は４段即ち４次以上の多段帯域通過フィルタである。
　また、上記「高周波リーク」は初段の共振器と終段の共振器との間のリークを含んでいる。
　したがって、上記引用例には以下の発明（以下、「引用発明」という。）が記載されている。
「４個以上の偶数個の空洞共振器がＵ字状の折り返し配列構造となるように形成されたケースと仕切板とカバーとからなる４次以上の帯域通過フィルタであって、
　前記４個以上の偶数個の空洞共振器のうち初段の共振器と終段の共振器は、前記Ｕ字状の折り返し配列における二つの開放端側に、それぞれ位置して相隣るように配置され、仕切板とカバーとの間の隙間にシールド材を設けることにより初段の共振器と終段の共振器との間の高周波リークを防止するように構成された帯域通過フィルタ。」
　
（２）また、原審の拒絶理由に引用された特開昭６２−２３８６９６号公報（以下、「周知例１」という。）には、以下の事項が記載されている。
　イ．「従来の分波器は、第３図、第４図に示すように、金属筺体１に金属隔壁２を設けて２つの室に区画し、それぞれの室に複数の共振素子３を設けると共に、一方の室に入力端子４を導入し、両方の室から出力端子５、５を導出することで２つのフィルタを並列に構成している。また、金属筺体１は金属蓋板６で塞がれるのが普通であり、これは金属筺体１及び金属隔壁２に金属蓋板６を止めネジ７により取り付ける場合が多い。
・・・
　しかし、この様な構成では、金属筺体１及び金属隔壁２と金属蓋板６とは、止めネジ７の周辺部でしか接触しない。そして、止めネジ７の周辺部以外では金属隔壁２と金属蓋板６との間にわずかな空隙８が生ずる。このため、この空隙８を通じて電磁波漏れ、ひいては各フィルタ相互間に電磁波の干渉が生じ、フィルタ相互間のアイソレーション性能を劣化させる欠点がある。」（１頁左下欄下から３行目〜右下欄１６行目）
　ロ．「本発明の分波器は、各フィルタ間の金属隔壁と金属蓋板との間に導電性ゴムを介在させたことを特徴としている。」（２頁左上欄２〜４行目）
　ハ．「本発明の分波器は、金属隔壁６のねじ穴の間に溝を設け、この溝に取り付けた導電性ゴム９により、第４図に示した空隙８を消滅させている。」（２頁左上欄１１〜１４行目）
　ニ．「本発明は、例えば導波管形のフィルタ、誘電体共振子を用いた誘電体フィルタ等、知られている全ての共振素子及びフィルタ形式について適用できる利点がある。」（２頁左上欄１９行目〜右上欄３行目）
　
　上記周知例１の記載及び添付図面ならびにこの分野における技術常識を考慮すると、「金属筺体及び金属隔壁に金属蓋板を止めネジにより取り付ける構成において、金属隔壁のねじ穴の間に溝を設け、この溝に取り付けた導電性ゴムにより、空隙を消滅させ電磁波漏れを防止する」ことは周知技術である。
　
（３）また、例えば実願昭５８−１６１６１号の願書に添付された明細書と図面を撮影したマイクロフィルム（実開昭５９−１２５１０２号、以下、「周知例２」という。）には、図面とともに以下の事項が記載されている。
　イ．「本考案は高周波フィルタに関し、特に複数の空洞を空間的に相互に結合した空洞共振器構成のフィルタに適用するものである。」（明細書１頁１６〜１８行目）
　ロ．「以下図面について本考案の一実施例を詳述するに、この場合の高周波フィルタ２１は第５図及び第６図に示す如く長方形の金属製ブロックでなる本体部２２と、その上及び下面に例えばビス止めされる外蓋２３及び２４とでなる。」（明細書６頁２〜６行目）
　
　上記周知例２の記載及び添付図面ならびにこの分野における技術常識を考慮すると、「空洞共振器を備えたフィルタにおいて、フィルタを共振素子、長方形の金属製ブロックと、その上及び下面にビス止めされる上蓋と下蓋で構成する」ことは周知である。
　
３．対比
　そこで、本願発明と引用発明とを対比するに、引用発明の「ケースと仕切板とカバー」と本願発明の「一体化形成された金属製の本体胴体部と、該本体胴体部の境界壁の上面と下面の当接する部分にねじ止めされた金属製の上板と下板」はそれぞれが「空洞形成部材」を構成する点で一致するとともに、引用発明の「仕切板」、「カバー」と本願発明の「境界壁」、「金属製の上板と下板」はそれぞれ「隔離部材」、「蓋体」であるという点で一致している。
　また、本願発明の「細い棒状の導電性ゴム」はいわゆる「シールド材」であり、引用発明の「仕切板とカバーとの間の隙間にシールド材を設ける」構成と本願発明の「前記上板と下板のそれぞれの前記本体胴体部の該入力側空洞共振器と前記出力側空洞共振器の間に設けられた境界壁以外の境界壁に当接にする部分には導電性ゴムを配置することなしに、該入力側空洞共振器と前記出力側空洞共振器の間に設けられた境界壁に当接する部分に設けられた溝のみに、細い棒状の導電性ゴムが嵌め込まれ、前記上板と下板が前記本体胴体部にねじ止めされたとき前記導電性ゴムが前記境界壁の上面に圧接され」る構成はいずれも「隔離部材と蓋体との間をシールドする」点で一致している。
　また、引用発明の「初段の共振器と終段の共振器」はいわゆる「入力側空洞共振器と出力側空洞共振器」であり、高周波リークを防止することは不要な誘導結合を抑圧することに他ならず、その結果理論特性に近い伝送特性が得られることは自明のことであるから、引用発明の「初段の共振器と終段の共振器との間の高周波リークを防止する」構成と本願発明の「入力側空洞共振器と出力側空洞共振器の間の不要な誘導結合が抑圧されて理論特性に近い伝送特性が得られるように」構成するものとの間に実質的な差異はない。
　したがって、本願発明と引用発明は、
「４個以上の偶数個の空洞共振器がＵ字状の折り返し配列構造となるように形成された空洞形成部材からなる４次以上の帯域通過フィルタであって、
　前記４個以上の偶数個の空洞共振器のうち入力側空洞共振器と出力側空洞共振器は、前記Ｕ字状の折り返し配列における二つの開放端側に、それぞれ位置して相隣るように配置され、隔離部材と蓋体との間をシールドすることにより前記入力側空洞共振器と前記出力側空洞共振器の間の不要な誘導結合が抑圧されて理論特性に近い伝送特性が得られるように構成された帯域通過フィルタ。」
の点で一致し、以下の点で相違する。
　
＜相違点＞
（１）「空洞形成部材」に関し、本願発明は「一体化形成された金属製の本体胴体部と、該本体胴体部の境界壁の上面と下面の当接する部分にねじ止めされた金属製の上板と下板」であるのに対し、引用発明は「ケースと仕切板とカバー」である点。
（２）「隔離部材と蓋体との間をシールドする」点に関し、本願発明は「前記上板と下板のそれぞれの前記本体胴体部の該入力側空洞共振器と前記出力側空洞共振器の間に設けられた境界壁以外の境界壁に当接にする部分には導電性ゴムを配置することなしに、該入力側空洞共振器と前記出力側空洞共振器の間に設けられた境界壁に当接する部分に設けられた溝のみに、細い棒状の導電性ゴムが嵌め込まれ、前記上板と下板が前記本体胴体部にねじ止めされたとき前記導電性ゴムが前記境界壁の上面に圧接され」るものであるのに対し、引用発明は「仕切板とカバーとの間の隙間にシールド材を設ける」ものである点。
　
４．当審の判断
　そこで、まず、上記相違点（１）の「空洞形成部材」について検討するに、例えば上記周知例２に開示されているように、「空洞共振器を備えたフィルタにおいて、フィルタを共振素子、長方形の金属製ブロックと、その上及び下面にビス止めされる上蓋と下蓋で構成する」ことは周知であり、当該周知の構成を引用発明の帯域通過フィルタに適用する上での阻害要因はなんら見あたらないから、引用発明の「ケースと仕切板とカバー」からなる空洞形成部材を本願発明のような「一体化形成された金属製の本体胴体部と、該本体胴体部の境界壁の上面と下面の当接する部分にねじ止めされた金属製の上板と下板」に変更する程度のことは当業者であれば設計的事項である。
　
　ついで、上記相違点（２）の「隔離部材と蓋体との間をシールドする」点について検討するに、上記周知例１に開示されているように、「金属筺体及び金属隔壁に金属蓋板を止めネジにより取り付ける構成において、金属隔壁のねじ穴の間に溝を設け、この溝に取り付けた導電性ゴムにより、空隙を消滅させ電磁波漏れを防止する」構成は周知であり、当該周知の構成を引用発明の帯域通過フィルタのシールドに適用する上での阻害要因はなんら見あたらない。
　ここで、上記周知技術は「溝」を「金属隔壁」に設けているが、「金属隔壁」と「蓋板」は当接するのであるから、「溝」を「金属隔壁」と「蓋板」のいずれに設けるかは単なる設計的事項であり、実質的な相違ではない。また、「導電性ゴム」は「溝」に取り付けられるのであるから、当該「導電性ゴム」が「細い棒状」となることは自明のことである。
　また、上記引用例の記載によれば、減衰特性を著しく悪化させる高周波リークは初段共振器（入力側空洞共振器）と終段共振器（出力側空洞共振器）の間であるから、当該見識に基づいて、導電性ゴムの配置を、「入力側空洞共振器と出力側空洞共振器の間に設けられた境界壁以外の境界壁に当接にする部分には導電性ゴムを配置することなしに」とする程度のことは例えば加工コストと得られるシールド効果等に関する単なる設計的事項である。
　したがって、引用発明の「仕切板とカバーとの間の隙間にシールド材を設ける」構成を本願発明のような「前記上板と下板のそれぞれの前記本体胴体部の該入力側空洞共振器と前記出力側空洞共振器の間に設けられた境界壁以外の境界壁に当接にする部分には導電性ゴムを配置することなしに、該入力側空洞共振器と前記出力側空洞共振器の間に設けられた境界壁に当接する部分に設けられた溝のみに、細い棒状の導電性ゴムが嵌め込まれ、前記上板と下板が前記本体胴体部にねじ止めされたとき前記導電性ゴムが前記境界壁の上面に圧接され」る構成とする程度のことは当業者であれば容易なことである。
　
５．むすび
　以上のとおり、本願発明は、上記引用例に記載された発明ならびに上記周知例１〜２に記載された周知技術に基づいて、当業者が容易に発明をすることができたものと認められるから、特許法第２９条第２項の規定により特許を受けることができない。
　
　よって、結論のとおり審決する。